(57)【特許請求の範囲】
【請求項１】
光コネクタに着脱自在に装着されるクリップの把持と把持解除を行うクリップ把持部と、前記クリップ把持部を前記光コネクタへのクリップ装着位置と該クリップ装着位置から後退した後退位置との間の移動を行なうクリップ把持部移動機構とを有し、前記クリップ把持部移動の後退位置でクリップをクリップ把持部で把持してクリップ把持部を前記クリップ装着位置へ移動してクリップを把持解除により前記光コネクタに装着するクリップ装着動作と、前記クリップ把持部の後退位置からクリップ把持部をクリップ装着位置へ移動し当該クリップ装着位置で光コネクタに装着されているクリップをクリップ把持部で把持して光コネクタから離脱してクリップ把持部を前記後退位置へ移動するクリップ離脱動作との少なくとも一方の動作を行うクリップ着脱器であって、前記クリップ把持部移動機構は、前記クリップ把持部を後退させた移動位置から前記光コネクタのクリップ装着位置よりも手前の光コネクタの近傍位置への移動速度よりも、前記光コネクタ近傍位置から前記クリップ装着位置への移動速度を遅くするクリップ把持部移動速度遅延機構を備えていることを特徴とするクリップ着脱器。
【請求項２】
クリップ把持部は間隔を介してほぼ同方向に伸設した対のアーム部を有し、該対のアーム部によってクリップを両側から把持する構成と成しており、該アーム部の伸設方向を軸方向とした操作用シャフトが前記クリップ把持部に連係されており、前記操作用シャフトは前記軸方向への進退移動と該軸方向を中心とした回転移動とが自在と成しており、前記操作用シャフトを光コネクタ側に近づけたときに操作用シャフトの操作量に対応させてクリップ把持部を光コネクタの近傍位置まで近づける進退移動伝達部と、前記クリップ把持部が前記光コネクタの近傍位置に達した以降に操作用シャフトの回転移動を前記クリップ把持部の光コネクタ側への進退移動に変換する移動方向変換部とを有しており、該移動方向変換部がクリップ把持部移動速度遅延機構と成していることを特徴とする請求項１記載のクリップ着脱器。
【請求項３】
操作用シャフトの外周側から外側に突出した突起部と、該突起部の移動方向をガイドするガイド部とを有して移動方向変換部が形成されており、前記ガイド部は前記操作用シャフトの側方周辺に設けられて操作用シャフトの周方向に傾斜するテーパ面を有し、クリップ把持部が光コネクタの近傍位置に達した以降に前記操作用シャフトを回転させたときに、前記突起部が前記ガイド部のテーパ面に沿って移動し、前記操作用シャフトが軸方向に移動することによって前記クリップ把持部を光コネクタ側へ進退移動させる構成と成していることを特徴とする請求項２記載のクリップ着脱器。
【請求項４】
操作用シャフトの外周側に設けられたガイド部と、前記操作用シャフトの側方周辺に設けられて前記ガイド部に接触する突起部とを有して移動方向変換部が形成されており、前記ガイド部は前記操作用シャフトの周方向に傾斜するテーパ面を有し、クリップ把持部が光コネクタの近傍位置に達した以降に前記操作用シャフトを回転させたときに、前記突起部と前記ガイド部のテーパ面とが接触しながら操作用シャフトが回転し、該操作用シャフトが軸方向に移動することによって前記クリップ把持部を光コネクタ側へ進退移動させる構成と成していることを特徴とする請求項２記載のクリップ着脱器。
【請求項５】
操作用シャフトの頭部側に操作ハンドルが設けられ、該操作ハンドルには前記操作用シャフトの周方向に傾斜するテーパ面を有するガイド部が設けられ、前記操作用シャフトの側方周辺にはサイドシャフトが設けられて該サイドシャフトと前記ガイド部とを有して移動方向変換部が形成されており、クリップ把持部が光コネクタの近傍位置に達した以降に前記操作用シャフトを回転させたときに、前記ガイド部のテーパ面と前記サイドシャフトとが接触しながら操作用シャフトが移動することにより該操作用シャフトが軸方向に移動することによって前記クリップ把持部を光コネクタ側へ進退移動させる構成と成していることを特徴とする請求項２記載のクリップ着脱器。
【請求項６】
ガイド部は操作用シャフトの軸方向に設けられた軸方向溝と、該軸方向溝に連通して設けられてテーパ面を溝面とした斜め方向溝とを有するガイド溝としたことを特徴とする請求項３又は請求項４記載のクリップ着脱器。
【請求項７】
アーム部はそれぞれ基端部を中心として傾動自在に設けられており、該アーム部の先端間隔が閉の傾動状態から該アーム部の先端間隔を開方向に傾動させてアーム部の先端間隔を開くことによってクリップを光コネクタから離脱させるアーム部開作動部が設けられていることを特徴とする請求項２乃至請求項６のいずれか一つに記載のクリップ着脱器。
【請求項８】
アーム部はそれぞれ基端部を中心として傾動自在に設けられており、該アーム部の先端間隔が開の傾動状態から該アーム部の先端間隔を閉方向に傾動させてアーム部の先端間隔を閉じることによってクリップを光コネクタに装着させるアーム部閉作動部が設けられていることを特徴とする請求項２乃至請求項７のいずれか一つに記載のクリップ着脱器。
【請求項９】
アーム部開作動部は操作用シャフトの軸方向を中心に回転するカム部を有し、該カム部はアーム部に両側から挟まれる態様で設けられて該カム部の外周面が前記アーム部に接触しており、前記カム部は該カム部の回転中心軸を中心とした径が徐々に大きくなる方向に変化する楕円弧状部位を有しており、クリップ離脱時にクリップ把持部を光コネクタに装着されているクリップに接触させた以降に操作用シャフトを前記カム部の回転中心軸を中心とした径が大きくなる方向に回転させたときに、前記カム部の楕円弧状部位がアーム部に接触しながら回転することによりアーム部先端側間隔を開く構成としたことを特徴とする請求項７記載のクリップ着脱器。
【請求項１０】
アーム部閉作動部は操作用シャフトの軸方向を中心に回転するカム部を有し、該カム部はアーム部に両側から挟まれる態様で設けられて該カム部の外周面が前記アーム部に接触しており、前記カム部は該カム部の回転中心軸を中心とした径が徐々に小さくなる方向に変化する楕円弧状部位を有しており、クリップ装着時にクリップ把持部で把持したクリップを光コネクタに接触させた以降に操作用シャフトを前記カム部の回転中心軸を中心とした径が小さくなる方向に回転させたときに、前記カム部の楕円弧状部位がアーム部に接触しながら回転することによりアーム部先端部間隔を閉じる構成としたことを特徴とする請求項８記載のクリップ着脱器。
【請求項１１】
クリップ把持部移動機構はモータの回転駆動力を操作用シャフトの軸方向の進退移動に変換するモータ駆動力伝達部を有しており、クリップ把持部を光コネクタの近傍位置まで近づけるまでの前記モータの回転速度よりも、前記クリップ装着時にクリップ把持部で把持したクリップを光コネクタに接触させる時と前記クリップ離脱時に光コネクタに装着されているクリップにクリップ把持部を接触させる時の少なくとも一方のモータ回転速度を遅くするモータ回転速度可変機構が設けられ、該モータ回転速度可変機構がクリップ把持部移動速度遅延機構と成していることを特徴とする請求項１記載のクリップ着脱器。
【請求項１２】
請求項１乃至請求項１１のいずれか一つに記載のクリップ着脱器を有し、該クリップ着脱器によってクリップを離脱した後に光コネクタ同士の接続解除を行なう光コネクタ接続解除部と、光コネクタ同士を接続した後に前記クリップ着脱器によってクリップを装着する光コネクタ接続部の少なくとも一方を有することを特徴とするクリップ着脱器を用いた光コネクタ接続切替え装置。
【発明の詳細な説明】
【０００１】
【発明の属する技術分野】
本発明は、光通信用として用いられる光コネクタに着脱自在に設けられるクリップの着脱を行なうクリップ着脱器およびそのクリップ着脱器を用いた光コネクタ接続切替え装置に関するものである。
【０００２】
【従来の技術】
光通信用として光ファイバケーブルが広く敷設されている。一般に、光ファイバケーブルには、複数の光ファイバを並設して成る光ファイバテープ心線が複数収容されており、光ファイバテープ心線は光ファイバケーブルの端末部において光ファイバケーブルから引き出されている。図１０の（ａ）に示すように、光ファイバテープ心線２６の先端側はフェルール１００に挿入固定されて光コネクタ１６が形成され、光コネクタ１６の接続切替えを行なうことによって光ファイバ同士の接続切替えが着脱自在に行なえるようにしている。
【０００３】
なお、この種の光コネクタ１６はＭＴコネクタと呼ばれており、同図に示す符号１０１は、フェルール１００の鍔部、１０２はブーツをそれぞれ示している。また、一般に、同図の（ｂ）に示すように、接続した光コネクタ１６同士はクリップ１７で両側から挟んで固定される。
【０００４】
ところで、前記光ファイバケーブルのケーブル網において、土木工事などに起因した光ファイバケーブル敷設ルートの変更に伴い、現用光ファイバケーブルを新規光ファイバケーブルと交換する、いわゆる支障移転工事が行なわれている。この種の工事に際し、切替え作業を終了するまでの間、通信が不通となってしまうので、この不通時間を短縮するために、前記ＭＴコネクタの接続切替えを瞬時に行なうことができる光コネクタ接続切替え装置が用いられている。
【０００５】
この種の光コネクタ接続切替え装置には、例えば図９に示すような、クリップ着脱機構を備えたクリップ着脱器が設けられており、このクリップ着脱器によって、光コネクタ１６へのクリップ１７の装着と、光コネクタ１６に装着されたクリップ１７の離脱とを行なう。
【０００６】
図９に示すように、従来のクリップ着脱器は、光コネクタ１６に着脱自在に装着されるクリップ１７を把持するクリップ把持部１０を有し、該クリップ把持部１０で把持したクリップ１７を光コネクタ１６に装着するクリップ装着機能と、光コネクタ１６に装着されているクリップ１７を前記クリップ把持部１０で把持して離脱するクリップ離脱機能の両方を有している。
【０００７】
前記クリップ把持部１０は、間隔を介してほぼ同方向に伸設した対のアーム部１０ａ，１０ｂにより形成されており、該対のアーム部１０ａ，１０ｂによってクリップ１７を両側から把持する構成と成している。アーム部１０ａ，１０ｂは、それぞれ基端部に設けられたピン１１ａ，１１ｂにより把持部取り付け部９に取り付けられ、ピン１１ａ，１１ｂを中心として傾動自在に設けられている。アーム部１０ａ，１０ｂの先端側は、それぞれ把持部先端部１０ｃ，１０ｄと成しており、把持部先端部１０ｃ，１０ｄはピン形状又は薄板形状と成し、クリップ１７を把持しやすいようになっている。
【０００８】
アーム部１０ａ，１０ｂの伸設方向を軸方向とした操作用シャフト２が前記クリップ把持部１０に連係されており、この操作用シャフト２は前記軸方向への進退移動と該軸方向を中心とした回転移動とが自在と成している。操作用シャフト２は、台座７に設けられた操作シャフト挿通孔２７に挿通されており、操作用シャフト２の外周側にはスプリング３が設けられている。スプリング３は操作用シャフト２の頭部側に設けられた操作ハンドル１と台座７の上面との間に介設されている。スプリング３は圧縮ばねにより形成され、その付勢力により、操作ハンドル１と共に操作用シャフト２を上側に押し上げる機能を有している。
【０００９】
操作用シャフト２の下部側には操作用シャフト２の軸方向を中心に回転自在のカム部１２が設けられている。カム部１２は楕円形状に形成されており、カム部１２の外周面がアーム部１０ａ，１０ｂに接触している。なお、同図の（ａ）に示す状態（準備状態）においては、カム部１２の楕円形状の短軸をアーム部１０ａ，１０ｂの先端側で挟む態様と成しており、その外周側がアーム部１０ａ，１０ｂの先端側に接触している。
【００１０】
従来のクリップ着脱器は以上のように構成されており、このクリップ着脱器を用いてクリップ１７を光コネクタ１６から離脱するときには、図９の（ａ）に示すような状態から、スプリング３の付勢力に抗して手動によって操作ハンドル１を図の下部側に押し下げ、同図の（ｂ）に示すようにする。そうすると、クリップ把持部１０が操作用シャフト２と共に下方側に移動し、アーム部１０ａ，１０ｂの把持部先端部１０ｃ，１０ｄがクリップ１７に接触する。
【００１１】
この状態で、手動によって操作ハンドル１を回転させ、それにより操作用シャフト２を回転させると、操作用シャフト２の回転に伴ってその先端側（下部側）の楕円形状のカム部１２が回転し、同図の（ｅ）から（ｆ）に示すように、カム部１２の楕円形状の長軸をアーム部１０ａ，１０ｂの先端側で挟む態様になって、カム部１２の外周側がアーム部１０ａ，１０ｂの先端側に接触する。そうすると、同図の（ｃ）に示すように、クリップ１７が光コネクタ１６から離脱し、この状態で、同図の（ｄ）に示すように、操作ハンドル１を上側に戻すと、光コネクタ１６から離脱したクリップ１７が上方側に引き上げられる。
【００１２】
また、上記の操作を上記と逆に行なえば、図９の（ｄ）から（ｂ）に示すような工程にて、クリップ１７の光コネクタ１６への装着が行われ、その後、同図の（ａ）に示すように、クリップ１７を把持していないクリップ把持部１０が上側に戻される。
【００１３】
このように、図９に示したクリップ着脱器は、操作ハンドル１の押し回しといった非常に簡単な操作で、瞬時にクリップ１７の光コネクタ１６への取り付けおよび光コネクタ１６からのクリップ１７の離脱を行なえる。しかも、このクリップ着脱器は、非常に簡単な構成で、小型であるために、このようなクリップ着脱器を備えた光コネクタ接続切替え装置は、小型で持ち運びが便利であり、前記光ファイバケーブルの支障移転工事等に適用しやすい優れた装置である。
【００１４】
【発明が解決しようとする課題】
しかしながら、上記クリップ着脱器を用いたクリップ１７の着脱作業は、手動により行なっており、操作ハンドル１の操作によってクリップ把持部１０を図の下部側に押し下げるときの速度が速くなりやすい。そして、この速い押し下げ速度で、クリップ装着時にクリップ把持部１０の把持部先端部１０ｃ，１０ｄがクリップ１７に接触したり、クリップ離脱時にクリップ把持部１０の把持部先端部１０ｃ，１０ｄで把持したクリップ１７が光コネクタ１６に接触したりするため、これらの接触時に光コネクタ１６に加わる衝撃が大きくなりやすいといった問題があった。
【００１５】
すなわち、前記の如く、光コネクタ１６には光ファイバテープ心線２６が設けられており、光コネクタ１６に大きな衝撃が生じると、光ファイバテープ心線２６の光コネクタを通して導通している光信号に損失が発生してしまうので、問題であった。
【００１６】
本発明は、上記従来の課題を解決するためになされたものであり、その目的は、クリップ装着時および離脱時に光コネクタに衝撃を殆ど加えること無く、しかも、容易な操作でクリップの着脱を行なえる小型のクリップ着脱器およびそのクリップ着脱器を用いた光コネクタ接続切替え装置を提供することにある。
【００１７】
【課題を解決するための手段】
上記目的を達成するために、本発明は次のような構成をもって課題を解決するための手段としている。すなわち、クリップ着脱器の第１の発明は、光コネクタに着脱自在に装着されるクリップの把持と把持解除を行うクリップ把持部と、前記クリップ把持部を前記光コネクタへのクリップ装着位置と該クリップ装着位置から後退した後退位置との間の移動を行なうクリップ把持部移動機構とを有し、前記クリップ把持部移動の後退位置でクリップをクリップ把持部で把持してクリップ把持部を前記クリップ装着位置へ移動してクリップを把持解除により前記光コネクタに装着するクリップ装着動作と、前記クリップ把持部の後退位置からクリップ把持部をクリップ装着位置へ移動し当該クリップ装着位置で光コネクタに装着されているクリップをクリップ把持部で把持して光コネクタから離脱してクリップ把持部を前記後退位置へ移動するクリップ離脱動作との少なくとも一方の動作を行うクリップ着脱器であって、前記クリップ把持部移動機構は、前記クリップ把持部を後退させた移動位置から前記光コネクタのクリップ装着位置よりも手前の光コネクタの近傍位置への移動速度よりも、前記光コネクタ近傍位置から前記クリップ装着位置への移動速度を遅くするクリップ把持部移動速度遅延機構を備えている構成をもって課題を解決する手段としている。
【００１８】
また、クリップ着脱器の第２の発明は、上記第１の発明の構成に加え、前記クリップ把持部は間隔を介してほぼ同方向に伸設した対のアーム部を有し、該対のアーム部によってクリップを両側から把持する構成と成しており、該アーム部の伸設方向を軸方向とした操作用シャフトが前記クリップ把持部に連係されており、前記操作用シャフトは前記軸方向への進退移動と該軸方向を中心とした回転移動とが自在と成しており、前記操作用シャフトを光コネクタ側に近づけたときに操作用シャフトの操作量に対応させてクリップ把持部を光コネクタの近傍位置まで近づける進退移動伝達部と、前記クリップ把持部が前記光コネクタの近傍位置に達した以降に操作用シャフトの回転移動を前記クリップ把持部の光コネクタ側への進退移動に変換する移動方向変換部とを有しており、該移動方向変換部がクリップ把持部移動速度遅延機構と成している構成をもって課題を解決する手段としている。
【００１９】
さらに、クリップ着脱器の第３の発明は、上記第２の発明の構成に加え、前記操作用シャフトの外周側から外側に突出した突起部と、該突起部の移動方向をガイドするガイド部とを有して移動方向変換部が形成されており、前記ガイド部は前記操作用シャフトの側方周辺に設けられて操作用シャフトの周方向に傾斜するテーパ面を有し、クリップ把持部が光コネクタの近傍位置に達した以降に前記操作用シャフトを回転させたときに、前記突起部が前記ガイド部のテーパ面に沿って移動し、前記操作用シャフトが軸方向に移動することによって前記クリップ把持部を光コネクタ側へ進退移動させる構成をもって課題を解決する手段としている。
【００２０】
さらに、クリップ着脱器の第４の発明は、上記第２の発明の構成に加え、前記操作用シャフトの外周側に設けられたガイド部と、前記操作用シャフトの側方周辺に設けられて前記ガイド部に接触する突起部とを有して移動方向変換部が形成されており、前記ガイド部は前記操作用シャフトの周方向に傾斜するテーパ面を有し、クリップ把持部が光コネクタの近傍位置に達した以降に前記操作用シャフトを回転させたときに、前記突起部と前記ガイド部のテーパ面とが接触しながら操作用シャフトが回転し、該操作用シャフトが軸方向に移動することによって前記クリップ把持部を光コネクタ側へ進退移動させる構成をもって課題を解決する手段としている。
【００２１】
さらに、クリップ着脱器の第５の発明は、上記第２の発明の構成に加え、前記操作用シャフトの頭部側に操作ハンドルが設けられ、該操作ハンドルには前記操作用シャフトの周方向に傾斜するテーパ面を有するガイド部が設けられ、前記操作用シャフトの側方周辺にはサイドシャフトが設けられて該サイドシャフトと前記ガイド部とを有して移動方向変換部が形成されており、クリップ把持部が光コネクタの近傍位置に達した以降に前記操作用シャフトを回転させたときに、前記ガイド部のテーパ面と前記サイドシャフトとが接触しながら操作用シャフトが移動することにより該操作用シャフトが軸方向に移動することによって前記クリップ把持部を光コネクタ側へ進退移動させる構成をもって課題を解決する手段としている。
【００２２】
さらに、クリップ着脱器の第６の発明は、上記第３又は第４の発明の構成に加え、前記ガイド部は操作用シャフトの軸方向に設けられた軸方向溝と、該軸方向溝に連通して設けられてテーパ面を溝面とした斜め方向溝とを有するガイド溝とした構成をもって課題を解決する手段としている。
【００２３】
さらに、クリップ着脱器の第７の発明は、上記第２乃至第６のいずれか一つの発明の構成に加え、前記アーム部はそれぞれ基端部を中心として傾動自在に設けられており、該アーム部の先端間隔が閉の傾動状態から該アーム部の先端間隔を開方向に傾動させてアーム部の先端間隔を開くことによってクリップを光コネクタから離脱させるアーム部開作動部が設けられている構成をもって課題を解決する手段としている。
【００２４】
さらに、クリップ着脱器の第８の発明は、上記第２乃至第７のいずれか一つの発明の構成に加え、前記アーム部はそれぞれ基端部を中心として傾動自在に設けられており、該アーム部の先端間隔が開の傾動状態から該アーム部の先端間隔を閉方向に傾動させてアーム部の先端間隔を閉じることによってクリップを光コネクタに装着させるアーム部閉作動部が設けられている構成をもって課題を解決する手段としている。
【００２５】
さらに、クリップ着脱器の第９の発明は、上記第７の発明の構成に加え、前記アーム部開作動部は操作用シャフトの軸方向を中心に回転するカム部を有し、該カム部はアーム部に両側から挟まれる態様で設けられて該カム部の外周面が前記アーム部に接触しており、前記カム部は該カム部の回転中心軸を中心とした径が徐々に大きくなる方向に変化する楕円弧状部位を有しており、クリップ離脱時にクリップ把持部を光コネクタに装着されているクリップに接触させた以降に操作用シャフトを前記カム部の回転中心軸を中心とした径が大きくなる方向に回転させたときに、前記カム部の楕円弧状部位がアーム部に接触しながら回転することによりアーム部先端側間隔を開く構成をもって課題を解決する手段としている。
【００２６】
さらに、クリップ着脱器の第１０の発明は、上記第８の発明の構成に加え、前記アーム部閉作動部は操作用シャフトの軸方向を中心に回転するカム部を有し、該カム部はアーム部に両側から挟まれる態様で設けられて該カム部の外周面が前記アーム部に接触しており、前記カム部は該カム部の回転中心軸を中心とした径が徐々に小さくなる方向に変化する楕円弧状部位を有しており、クリップ装着時にクリップ把持部で把持したクリップを光コネクタに接触させた以降に操作用シャフトを前記カム部の回転中心軸を中心とした径が小さくなる方向に回転させたときに、前記カム部の楕円弧状部位がアーム部に接触しながら回転することによりアーム部先端部間隔を閉じる構成とした構成をもって課題を解決する手段としている。
【００２７】
さらに、クリップ着脱器の第１１の発明は、上記第１の発明の構成に加え、前記クリップ把持部移動機構はモータの回転駆動力を操作用シャフトの軸方向の進退移動に変換するモータ駆動力伝達部を有しており、クリップ把持部を光コネクタの近傍位置まで近づけるまでの前記モータの回転速度よりも、前記クリップ装着時にクリップ把持部で把持したクリップを光コネクタに接触させる時と前記クリップ離脱時に光コネクタに装着されているクリップにクリップ把持部を接触させる時の少なくとも一方のモータ回転速度を遅くするモータ回転速度可変機構が設けられ、該モータ回転速度可変機構がクリップ把持部移動速度遅延機構と成している構成をもって課題を解決する手段としている。
【００２８】
さらに、本発明のクリップ着脱器を用いた光コネクタ接続切替え装置は、上記第１乃至第１１のいずれか一つの発明のクリップ着脱器を有し、該クリップ着脱器によってクリップを離脱した後に光コネクタ同士の接続解除を行なう光コネクタ接続解除部と、光コネクタ同士を接続した後に前記クリップ着脱器によってクリップを装着する光コネクタ接続部の少なくとも一方を有する構成をもって課題を解決する手段としている。より具体的には、光コネクタ切替え前に、光コネクタからクリップを外すクリップ脱機構と、光コネクタ切替え後に光コネクタにクリップを着装するクリップ着機構の少なくとも一方を有する構成をもって課題を解決する手段としている。
【００２９】
上記構成の本発明において、クリップ把持部を光コネクタ側へ近づける移動を行なうクリップ把持部移動機構は、前記クリップ把持部を前記光コネクタの近傍位置まで近づける速度よりも、前記クリップ装着時にクリップ把持部で把持したクリップを光コネクタに接触させる速度と前記クリップ離脱時に光コネクタに装着されているクリップにクリップ把持部を接触させる速度との少なくとも一方を遅くするクリップ把持部移動速度遅延機構を備えているため、クリップ装着時やクリップ離脱時に光コネクタに加わる衝撃を小さくすることが可能となる。
【００３０】
また、第２〜第１０の発明では、クリップ把持部で把持したクリップを光コネクタに接触させる時と光コネクタに装着されているクリップにクリップ把持部を接触させる時には、操作用シャフトの回転動作を光コネクタ側への進退移動動作（例えば上下移動動作）に変換しているため、上方から下方へ力が加わっただけではクリップ把持部がクリップに接触したり、クリップが光コネクタに接触したりすることはない。このため、落下物などがあった場合でも、光コネクタに衝撃を与えることがない。
【００３１】
そして、例えばクリップ把持部のアーム部の伸設方向を軸方向とした操作用シャフトを光コネクタ側に近づけてクリップ把持部を光コネクタの近傍位置まで近づけ、その後、操作用シャフトの回転移動を前記クリップ把持部の光コネクタ側への進退移動に変換して、クリップ把持部が把持したクリップを光コネクタに接触させたり、光コネクタに装着されているクリップにクリップ把持部を接触させたりし、さらに、操作用シャフトを回転させることによって、クリップ把持部先端側を開閉してクリップ着脱を行なえば、非常に容易な操作でクリップ着脱を行なうことが可能となる。
【００３２】
【発明の実施の形態】
以下、本発明の実施の形態を図面に基づいて説明する。なお、本実施形態例の説明において、従来例と同一名称部分には同一符号を付し、その重複説明は省略する。図１，２の（ａ）〜（ｃ）には、本発明に係るクリップ着脱器の要部構成が、その動作図により示されている。また、本実施形態例のクリップ着脱器も、従来例と同様のアーム部１０ａ，１０ｂから成るクリップ把持部１０を有しており、図１，２の（ｄ）〜（ｆ）には、アーム部１０ａ，１０ｂの動作がクリップ１７および光コネクタ１６と共に示されている。
【００３３】
本実施形態例の特徴的なことは、クリップ把持部１０を光コネクタ１６側へ近づける移動を行なうクリップ把持部移動機構を有し、このクリップ把持部移動機構が、クリップ把持部１０を光コネクタ１６の近傍位置まで近づける速度よりも、クリップ装着時にクリップ把持部１０で把持したクリップ１７を光コネクタ１６に接触させる速度とクリップ離脱時に光コネクタ１６に装着されているクリップ１７にクリップ把持部１０を接触させる速度の両方を遅くするクリップ把持部移動速度遅延機構を備えていることである。
【００３４】
以下、本実施形態例の構成を具体的に説明する。本実施形態例でも、従来例と同様に、台座７を有しており、台座７は、図５に示されるように、連結部１９を介して光コネクタ接続切替え装置本体１８に連結され、クリップ着脱器を光コネクタ接続切替え装置に固定する。
【００３５】
図１，２に示すように、台座７の上部側には円筒形状のカム溝付きブロック４が固定配設されている。また、該カム溝付きブロック４の円筒形状の筒孔中心部に、操作用シャフト（ハンドルシャフト）２が間隔を介して挿通されており、操作用シャフト２の頭部側に設けられた操作ハンドル１とカム溝付きブロック４の上端部との間に、操作用シャフト２の外周側に巻回したスプリング３が設けられている。スプリング３は圧縮ばねにより形成され、その付勢力によって操作ハンドル１を上方側に押し上げる役割を果たしている。
【００３６】
図３に示すように、前記操作用シャフト２の外周側には、操作用シャフト２の外側に突出した突起部としてのベアリング６ａがピン６ｂを介して設けられており、ベアリング６ａはピン６ｂを中心として回転自在と成している。また、前記カム溝付きブロック４の側方（操作用シャフト２の側方周辺）には、ベアリング６ａをガイドするガイド部としてのカム溝５が形成されている。
【００３７】
カム溝５は、ベアリング６ａがカム溝５に沿って移動できる程度に広い溝幅を有している。また、カム溝５は、操作用シャフト２の軸方向に設けられた軸方向溝５ａ，５ｅと、操作用シャフト２の周方向に傾斜するテーパ面２５を有する斜め方向溝５ｂ，５ｄと、操作用シャフト２の軸方向に直交する水平溝５ｃとを有するガイド溝であり、軸方向溝５ａ、斜め方向溝５ｂ、水平溝５ｃ、斜め方向溝５ｄ、軸方向溝５ｅの順に連通している。
【００３８】
なお、前記の如く、ベアリング６ａはピン６ｂを中心として回転自在と成しているために、ベアリング６ａのカム溝５に沿っての移動時に、カム溝５がベアリング６ａの摩擦の影響を受け難く、ベアリング６ａはカム溝５に沿ってスムーズに移動でき、カム溝５がベアリング６ａとの摩擦で削れるようなことはないようになっている。
【００３９】
図１，２に示すように、前記台座７には、その中心部から等距離離れた両サイド側に、ガイド穴７ａ，７ｂがそれぞれ形成されており、各ガイド穴７ａ，７ｂには、それぞれ、ガイドシャフト８ａ，８ｂが図の上下方向（操作用シャフト２の進退移動方向）に進退移動自在に設けられている。ガイドシャフト８ａ，８ｂの下部側には把持部取り付け部９が固定されており、把持部取り付け部９はガイドシャフト８ａ，８ｂと共に、操作用シャフト２の進退移動方向に進退移動自在と成している。ガイドシャフト８ａ，８ｂは、把持部取り付け部９の上記進退移動を安定して行なえるようにする役割を果たす。
【００４０】
また、前記台座７の中央部には、従来例と同様に、操作シャフト挿通孔２７が形成され、このシャフト挿通孔２７に前記操作シャフト２が挿通され、図６の（ａ）、（ｂ）に示すように、操作用シャフト２の先端側（図の下部側）には、カムシャフト１３が連結されている。カムシャフト１３は、ベアリング部１５を介して前記把持部取り付け部９と連係されている。カムシャフト１３の先端部には、カム部１２が設けられている。
【００４１】
把持部取り付け部９は、図６の（ｂ）に示すように、櫛歯形状を呈しており、把持部取り付け部９の中央部に設けられた櫛歯部３１のベアリング用穴９ｂにベアリング部１５が設けられている。
【００４２】
ベアリング部１５は、図６の（ａ）に示すように、外枠２２、ベアリング２１、回転部２０を有しており、回転部２０は、ベアリング２１を介することで、外枠２２の内側を自由に回転できるように構成されている。回転部２０の中心部にはカムシャフト挿通孔３２が設けられており、カムシャフト挿通孔３２に前記カムシャフト１３が挿通されている。
【００４３】
ベアリング部１５は、把持部取り付け部９のベアリング用穴９ｂの上下両側から被せる態様で設けられており、上側のベアリング部１５の上側と、下側のベアリング部１５の下側にカラー２４が設けられてカムシャフト１３に取り付けられている。そして、この状態で各カラー２４が止めねじ２３で固定されており、それにより、カムシャフト１３は把持部取り付け部９に上下方向に固定され、かつ、回転方向には自由に回転できるように構成されている。
【００４４】
なお、上記のように、カムシャフト１３は、ベアリング部１５を介して把持部取り付け部９に取り付けられ、把持部取り付け部９と共に操作用シャフト２の軸方向に進退移動自在に設けられているが、図１，２においては、図の簡略化のために、櫛歯部３１等の上記構成を省略して示してある。
【００４５】
前記カムシャフト１３の先端側に設けられたカム部１２は、カムシャフト１３と共に、操作用シャフト２の軸方向を中心として回転する構成と成しており、カム部１２はアーム部１０ａ，１０ｂの先端側に挟まれる態様で設けられている。なお、本実施形態例でも、アーム部１０ａ，１０ｂはピン１１ａ，１１ｂを介して把持部取り付け部９に傾動自在に取り付けられており、前記カム部１２の外周面はアーム部１０ａ，１０ｂに接触している。
【００４６】
また、本実施形態例では、把持部取り付け部９の両サイド側に設けられた側壁部２９とアーム部１０ａ，１０ｂの外側の壁面との間には、ばね１４ａ，１４ｂがそれぞれ設けられており、このばね１４ａ，１４ｂの付勢力によって、カム部１２の外周面がアーム部１０ａ，１０ｂに密着して接触するように構成されている。
【００４７】
図４に示すように、カム部１２は、カム部１２の回転中心軸（同図のＰ）を中心とした径が、同図のｃからｄに向かうにつれて徐々に大きくなる方向に変化する楕円弧状部位３０を有している。なお、楕円弧状部位３０は、見方を変えれば、カム部１２の回転中心軸を中心とした径が、同図のｄからｃに向かうにつれて徐々に小さくなる方向に変化する部位となる。
【００４８】
上記のように、カム部１２は操作用シャフト２の軸方向を中心に回転し、かつ、その回転中心軸を中心とした径が徐々に大きくなる方向に変化する楕円弧状部位３０を有しているために、クリップ離脱時にクリップ把持部１０を光コネクタ１６に装着されているクリップ１７に接触させた以降に操作用シャフト２を回転させたときに、カム部１２が図４の矢印Ａ方向に回転し、カム部１２の楕円弧状部位３０がｃからｄに向けてアーム部１０ａ，１０ｂに接触しながら回転することによりアーム部１０ａ，１０ｂの先端側間隔を開くアーム部開作動部を構成している。
【００４９】
また、カム部１２の回転方向を逆にすると、楕円弧状部位３０は、カム部１２の回転中心軸を中心とした径が徐々に小さくなる方向に変化する部位となるために、カム部１２は、クリップ装着時にクリップ把持部１０を光コネクタ１６に装着されているクリップ１７に接触させた以降に操作用シャフト２を、図４の矢印Ａの逆方向に回転させたときに、カム部１２の楕円弧状部位３０がアーム部１０ａ，１０ｂに接触しながら回転することによりアーム部１０ａ，１０ｂの先端側間隔を閉じるアーム部閉作動部を構成する。
【００５０】
なお、カム部１２は、同図のｂからｃに示す部位およびｄからｅに示す部位は、カム部１２の回転中心軸を中心とした径が等しい真円弧状部位３１と成している。
【００５１】
本実施形態例は、以上のように構成されており、本実施形態例では、操作ハンドル１と、操作用シャフト２と、カム溝付きブロック４と、ベアリング６ａと、ピン６ｂと、カムシャフト１３と、ベアリング部１５と、把持部取り付け部９と、ガイドシャフト８ａ，８ｂとを有して、クリップ把持部１０を光コネクタ１６側へ近づける移動を行なう前記クリップ把持部移動機構が形成されている。
【００５２】
また、本実施形態例では、操作用シャフト２を進出させて光コネクタ１６側に近づけたときに、操作用シャフト２の操作量（軸方向の移動量）に対応させてクリップ把持部１０を光コネクタ１６の近傍位置まで近づける進退移動伝達部が、カムシャフト１３と、ベアリング部１５と、把持部取り付け部９と、ガイドシャフト８ａ，８ｂとを有して形成されている。
【００５３】
さらに、本実施形態例では、カム溝付きブロック４に形成したテーパ面２５を有する斜め方向溝５ｂと、ベアリング６ａと、ベアリング部１５とを有して、前記クリップ把持部１０が前記光コネクタ１６の近傍位置に達した以降に操作用シャフト２の回転移動をクリップ把持部１０の光コネクタ１６側への進退移動に変換する移動方向変換部が形成されており、該移動方向変換部が前記クリップ把持部移動速度遅延機構と成している。
【００５４】
すなわち、本実施形態例では、クリップ把持部１０が光コネクタ１６の近傍位置に達した以降に前記操作用シャフト２を回転させたときに、ベアリング６ａとカム溝５のテーパ面２５とが接触しながら（ベアリング６ａが斜め方向溝５ｂに沿って移動しながら）操作用シャフト２が回転し、該操作用シャフト２が前記軸方向に移動することによって、前記クリップ把持部１０を光コネクタ１６側へ進退移動させる構成と成している。
【００５５】
なお、上記のように、操作用シャフト２を回転させると、操作用シャフト２と共に前記カムシャフト１３も回転するが、前記のように、カムシャフト１３がベアリング部１５を介して把持部取り付け部９に回転自在に設けられているために、把持部取り付け部９は操作用シャフト２と共に回転することはなく、把持部取り付け部９は操作用シャフト２の軸方向への進退移動のみ行なう。そして、把持部取り付け部９の進退移動に伴い、クリップ把持部１０も操作用シャフト２の軸方向に進退移動する構成と成している。
【００５６】
以下、図１〜図４に基づき、本実施形態例のクリップ着脱器の動作について説明する。まず、図１の（ｄ）に示すように、接続された光コネクタ１６同士にクリップ１７が装着されているときに、このクリップ１７を離脱する動作について説明する。
【００５７】
同図の（ａ）に示すように、スプリング３により操作ハンドル１が上側に押し上げられている状態（準備状態）から、手動により操作ハンドル１を押し下げると、図３に示すように、操作用シャフト２に設けられたベアリング６ａがカム溝５の軸方向溝５ａに沿って操作用シャフト２の軸方向に移動し、操作用シャフト２が光コネクタ１６側に進出移動する。
【００５８】
また、操作用シャフト２と共に、カムシャフト１３、把持部取り付け部９、ガイドシャフト８ａ，８ｂも操作用シャフト２の軸方向に沿って光コネクタ１６側に進出移動し、図１の（ｂ）、（ｅ）に示すようになり、クリップ把持部１０は光コネクタ１６の近傍位置まで近づけられる。
【００５９】
なお、この進出移動は、図４に示す軸方向溝５ａにベアリング６ａがガイドされて行われるため、ベアリング６ａは、カム溝５のｂに示す位置まで移動し、その進出移動量は、同図のαに示す長さとなる。このとき、図１の（ｅ）に示したように、クリップ把持部１０の先端はクリップ１７に接触していない。また、図４に示すカム部１２の外周面（ｂに示す位置）がクリップ把持部１０のアーム部１０ａ，１０ｂの先端側にそれぞれ接触した状態である。
【００６０】
この状態で、手動により操作ハンドル１を図１の（ｂ）の矢印に示す方向に回転させる。そうすると、前記ベアリング６ａが前記カム溝５ｂの斜め方向溝５ｂに沿って斜め下方に移動し、図４に示すカム溝５のｃに示す位置まで達する。このとき、操作用シャフト２は回転しながら軸方向に進退移動（この場合は光コネクタ１６側に進出移動）し、それに伴い、クリップ把持部１０も光コネクタ１６側に進出移動する。なお、この進出移動は、ベアリング６ａが斜め方向溝５ｂにガイドされて行われるため、進出移動量は、図４のβに示す長さとなり、また、この進出移動は、操作用シャフト２の回転移動を軸方向の進退移動に変換して行なわれるため、移動速度は遅くなる。
【００６１】
そして、この操作用シャフト２およびクリップ把持部１０の移動により、クリップ着脱器は図１の（ｃ）に示すようになり、同図の（ｆ）に示すように、クリップ把持部１０の把持部先端１０ｃ，１０ｄがクリップ１７にゆっくりとした速度で接触する。
【００６２】
また、上記操作用シャフト２の回転に伴い、カムシャフト１３も操作用シャフト２と共に回転し、カム部１２が操作用シャフト２の軸方向を中心として図４の矢印Ａ方向に回転する。この回転に伴い、図４に示すカム部１２のｂからｃに向かって真円弧状部位３１がクリップ把持部１０のアーム部１０ａ，１０ｂの先端側に接触するので、上記カム部１２の回転時におけるアーム部１０ａ，１０ｂの先端部間隔は一定である。したがって、ベアリング６ａが斜め方向溝５ｂに沿って移動する際には、クリップ把持部１０の光コネクタ１６側への進出移動のみが行なわれ、前記のように、把持部先端部１０ｃ，１０ｄがクリップ１７に接触する。
【００６３】
そして、把持部先端部１０ｃ，１０ｄがクリップ１７に接触した以降に、さらに操作ハンドル１を図１の（ｃ）の矢印方向に回転すると、操作用シャフト２が同方向に回転し、ベアリング６ａが図４に示す前記カム溝５の水平溝５ｃに沿ってカム溝５のｄに示す位置まで移動量γだけ移動し、カム部１２の楕円弧状部位３０が、図のｃからｄに向かってアーム部１０ａ，１０ｂの先端側に接触する。
【００６４】
そうすると、楕円弧状部位３０は、カム部１２の回転中心軸を中心とした径が図４のｃからｄに向かって徐々に大きくなる方向に変化するために、カム部１２の楕円弧状部位３０がｃからｄに向かってアーム部に接触しながら回転することによりアーム部１０ａ，１０ｂの先端側間隔が開かれ、図２の（ａ）、（ｄ）に示す状態となり、クリップ１７が光コネクタ１６から離脱する。
【００６５】
さらに、図２の（ａ）に示すように、操作ハンドル１を矢印方向に回転すると、前記ベアリング６ａが前記カム溝５の斜め方向溝５ｄに沿って斜め上方に移動し、図４に示すカム溝５のｅに示す位置まで達する。このとき、操作用シャフト２は回転しながら軸方向に進退移動（この場合は光コネクタ１６側から後退移動）し、それに伴い、クリップ把持部１０も光コネクタ１６側から後退移動して、図２の（ｂ）、（ｅ）に示すように、光コネクタ１６から離れ、前記光コネクタ１６の近傍位置に達する。
【００６６】
なお、この後退移動は、ベアリング６ａが斜め方向溝５ｄにガイドされて行われるため、進出移動量は、図４のβに示した長さとなり、また、この後退移動は、操作用シャフト２の回転移動を軸方向の進退移動に変換して行なわれるため、移動速度は遅くなる。
【００６７】
また、上記操作用シャフト２の回転に伴い、カムシャフト１３も操作用シャフト２と共に回転し、カム部１２が操作用シャフト２の軸方向を中心として回転する。この回転に伴い、図４に示すカム部１２のｄからｅに向かって真円弧状部位３１がクリップ把持部１０のアーム部１０ａ，１０ｂの先端側に接触するので、上記カム部１２の回転時におけるアーム部１０ａ，１０ｂの先端部間隔は一定であり、ベアリング６ａが図の右側の斜め方向溝５ｂに沿って移動する際には、クリップ把持部１０の光コネクタ１６側への後退移動のみが行なわれる。
【００６８】
その後、操作ハンドル１を上側に戻す（操作ハンドル１を下側に押す力を除く）と、操作ハンドル１がスプリング３の付勢力によって上側に押し上げられ、ベアリング６ａが軸方向溝５ｅに沿って移動し、クリップ把持部１０はクリップ１７を把持した状態で、光コネクタ１６の近傍位置から離れる。
【００６９】
また、上記と逆方向に動作を行なうと、クリップ把持部１０が把持したクリップ１７を光コネクタ１６に装着する動作が行なわれる。すなわち、クリップ装着動作においては、まず、図２の（ｃ）から（ｂ）に示す方向に動作すると、クリップ１７を把持したクリップ把持部１０が光コネクタ１６の近傍に進出移動して図２の（ｂ）、（ｅ）に示す状態となる。
【００７０】
そして、この状態から、同図の破線矢印方向に操作ハンドル１を回転させることにより、前記ベアリング６ａを図４のカム溝５のｅからｄに移動させると、操作用シャフト２の回転移動が光コネクタ１６側への進退移動（この場合は光コネクタ１６側への進出移動）に変換され、操作用シャフト２と共にクリップ把持部１０が光コネクタ１６側にゆっくり進出動作し、クリップ把持部１０が把持したクリップ１７が光コネクタ１６にゆっくりとした速度で接触し、図２の（ａ）、（ｄ）に示すようになる。
【００７１】
また、図２の（ａ）、（ｄ）に示す状態から、図２の（ａ）の矢印と逆方向に操作ハンドル１を回転すると、楕円弧状部位３０は、カム部１２の回転中心軸を中心とした径が図４のｄからｃに向かって徐々に小さくなる方向に変化しているために、カム部１２の楕円弧状部位３０がｄからｃに向かってアーム部１０ａ，１０ｂの先端側に接触しながら回転することによりアーム部１０ａ，１０ｂの先端側間隔が閉じられ（アーム部１０ａ，１０ｂの先端側間隔が小さくなり）、図１の（ｃ）、（ｆ）に示す状態となり、クリップ１７が光コネクタ１６から装着される。
【００７２】
本実施形態例によれば、クリップ把持部１０を光コネクタ１６側へ近づける移動を行なうクリップ把持部移動機構が、クリップ把持部１０を光コネクタ１６の近傍位置まで近づける速度よりも、クリップ装着時にクリップ把持部１０で把持したクリップ１７を光コネクタ１６に接触させる速度とクリップ離脱時に光コネクタ１６に装着されているクリップ１７にクリップ把持部１０を接触させる速度の両方を遅くするクリップ把持部移動速度遅延機構を備えているため、クリップ装着時やクリップ離脱時に光コネクタ１６に加わる衝撃を小さくすることができる。
【００７３】
また、本実施形態例によれば、ハンドル１に上方から下方へ力が加わっただけではクリップ把持部１０がクリップ１７に、またはクリップ１５が光コネクタ１６に接触することはないため、落下物などがあった場合でも、光コネクタに衝撃を与えることがない。
【００７４】
さらに、本実施形態例によれば、操作ハンドル１と共に操作用シャフト２を光コネクタ１６側に近づけてクリップ把持部１０を光コネクタ１６の近傍位置まで近づけ、その後、操作ハンドル１と共に回転する操作用シャフト２の回転移動をクリップ把持部１０の光コネクタ１６側への進退移動に変換して、クリップ把持部１０が把持したクリップ１７を光コネクタ１６に接触させたり、光コネクタ１６に装着されているクリップ１７にクリップ把持部１０を接触させ、その状態で、クリップ把持部１０の先端側を開閉してクリップ着脱を行なうので、操作ハンドル１の押し回しといった非常に容易な操作でクリップ着脱を行なうことができる。
【００７５】
さらに、本実施形態例によれば、操作用シャフト２に突出して設けたベアリング６ａを、軸方向溝５ａ，５ｅと斜め方向溝５ｂ，５ｄと水平溝５ｃを有するカム溝５に沿って移動することにより、クリップ把持部１０を光コネクタ２の近傍位置まで近づけ、その後、クリップ把持部１０をクリップ１７に接触させる、またはクリップ把持部１０が把持したクリップ１７を光コネクタ１６に接触させる動作を行ない、その後、クリップ把持部１０の先端側の開閉を行なってクリップ１７の光コネクタ１６への着脱を行なう構成であるため、非常に簡単な装置構成で、しかも、光コネクタ１６へ与える衝撃が小さい上記優れたクリップ着脱操作を確実に行なえる優れたクリップ着脱器とすることができる。
【００７６】
したがって、本実施形態例のクリップ着脱器を設けて光コネクタ接続切替え装置を構成し、前記クリップ着脱器によってクリップ１７を離脱した後に光コネクタ１６同士の接続解除を行なう光コネクタ接続解除部と、光コネクタ１６同士を接続した後に前記クリップ着脱器によってクリップ１７を装着する光コネクタ接続部の少なくとも一方を有する装置（光コネクタ切替え前に光コネクタ１６からクリップ１７を外すクリップ着脱器と、光コネクタ切替え後に光コネクタ１６にクリップ１７を着装するクリップ着機構の少なくとも一方を有する装置）とすれば、クリップ着脱時に光コネクタ１６に与える衝撃が小さく、しかも、非常に容易にクリップ着脱を行なって、光コネクタ１６同士の接続切替えを迅速に行なえる優れた光コネクタ接続切替え装置とすることができる。
【００７７】
また、本実施形態例のクリップ着脱器を、現用線を対象とした光コネクタ切替え装置に利用した場合、クリップ着脱時に光コネクタに与える衝撃が小さく、光信号に損失を与えることがない。しかも、容易にクリップ着脱が行なえるため、光コネクタの切替え作業を迅速に行なうことができる。
【００７８】
なお、本発明は上記実施形態例に限定されることはなく、様々な実施の態様を採り得る。例えば上記実施形態例では、操作用シャフト２の外周側にカム溝付きブロック４を設けたが、図７の（ａ）に示すように、操作用シャフト２の外周側に間隔を介して、テーパ面２５と水平面３９とを有するガイド面３５が形成されているガイド面付きブロック３７を設けてもよい。このようにした場合も、操作用シャフト２の外周側から外側に突出させて突起部３６を設け、この突起部３６をガイド面３５に沿って移動させると、上記実施形態例とほぼ同様の効果を奏することができる。
【００７９】
また、図７の（ｂ）に示すように、操作ハンドル１に、操作用シャフト２の周方向に傾斜するテーパ面２５を有するガイド部としてのガイド面３５を形成し、操作用シャフト２の側方近傍側に、操作用シャフト２と間隔を介してサイドシャフト４０を設けて前記移動方向変換部を形成してもよい。このようにした場合も、クリップ把持部１０が光コネクタ１６の近傍位置に達した以降に操作用シャフト２を回転させたときに、前記テーパ面２５とサイドシャフト４０とが接触しながら操作用シャフト２が移動することにより、操作用シャフト２がその軸方向に移動することによってクリップ把持部１０を光コネクタ１６側へ進退移動させることができる。
【００８０】
さらに、図７の（ｂ）の破線に示すように、上記実施形態例とは逆に、操作用シャフト２の外周側に、操作用シャフトの周方向に傾斜するテーパ面２５を有するガイド部としてのカム溝５を設け、操作用シャフト２の側方周辺に、カム溝５に接触する突起部３６を設けて前記移動方向変換部を形成してもよい。このようにした場合も、クリップ把持部１０が光コネクタ１６の近傍位置に達した以降に操作用シャフト２を回転させたときに、前記突起部３６と前記テーパ面２５とが接触しながら操作用シャフト２が回転し、操作用シャフト２がその軸方向に移動することによって前記クリップ把持部１０を光コネクタ１６側へ進退移動させることができる。
【００８１】
さらに、上記実施形態例では、操作ハンドル１の操作によって手動でクリップ把持部１０の進退移動と、クリップ把持部１０の先端間隔の開閉移動を行なうようにしたが、図８に示すように、モータ４１の回転駆動力を操作用シャフト２の軸方向の進退移動に変換するモータ駆動力伝達部としてのギア４２と平面ギア４３とを設けてクリップ把持部移動機構を構成してもよい。
【００８２】
この場合は、クリップ把持部１０を光コネクタ１６の近傍位置まで近づけるモータ４１の回転速度よりも、クリップ装着時にクリップ把持部１０で把持したクリップ１７を光コネクタ１６に接触させる時とクリップ離脱時に光コネクタ１６に装着されているクリップ１７にクリップ把持部１０を接触させる時のモータ回転速度を遅くするモータ回転速度可変機構４４を設け、該モータ回転速度可変機構４４を、前記クリップ把持部移動速度遅延機構と成すことにより、上記実施形態例とほぼ同様の効果を奏することができる。
【００８３】
さらに、これまでの説明において、クリップ着脱器は、光コネクタ１６へのクリップ１７の装着と離脱の両方を行なう構成としたが、本発明のクリップ着脱器は、クリップ１７の装着と離脱の少なくとも一方を行なう装置であればよい。ただし、上記実施形態例のように、クリップ１７の装着と離脱の両方を行なう構成とすれば、１つのクリップ着脱器でクリップ１７の着脱を行なえるし、クリップ１７の着脱をより一層容易な操作で行なえるために、クリップ１７の装着と離脱の両方を行なう構成とすることが好ましい。
【００８４】
なお、クリップ着脱器がクリップ１７の装着のみを行なう装置の場合は、クリップ着脱器のクリップ把持部移動機構は、クリップ把持部１０を前記光コネクタ１６の近傍位置まで近づける速度よりも、前記クリップ装着時にクリップ把持部１０で把持したクリップを光コネクタ１６に接触させる速度を遅くする把持部移動速度遅延機構を備えていればよい。
【００８５】
また、クリップ着脱器がクリップ１７の離脱のみを行なう装置の場合は、クリップ着脱器のクリップ把持部移動機構は、クリップ把持部１０を前記光コネクタ１６の近傍位置まで近づける速度よりも、クリップ離脱時に光コネクタ１６に装着されているクリップ１７にクリップ把持部１０を接触させる速度を遅くする把持部移動速度遅延機構を備えていればよい。
【００８６】
【発明の効果】
本発明によれば、クリップ把持部を光コネクタ側へ近づける移動を行なうクリップ把持部移動機構を、前記クリップ把持部を前記光コネクタの近傍位置まで近づける速度よりも、前記クリップ装着時にクリップ把持部で把持したクリップを光コネクタに接触させる速度と前記クリップ離脱時に光コネクタに装着されているクリップにクリップ把持部を接触させる速度との少なくとも一方を遅くするクリップ把持部移動速度遅延機構を有する構成としたものであるから、クリップ装着時やクリップ離脱時に光コネクタに加わる衝撃を小さくすることができる。
【００８７】
また、クリップ把持部のアーム部の伸設方向を軸方向として軸方向への進退移動と該軸方向を中心とした回転移動自在の操作用シャフトと、操作用シャフトの前記進退移動の伝達部と前記回転移動を進退移動に変換する移動方向変換部とを設けた構成のものにあっては、進退移動伝達部により操作用シャフトの進退移動を伝達し、移動方向変換部を前記クリップ把持部移動速度遅延機構として、非常に簡単な構成で、かつ、確実に、上記クリップ把持部で把持したクリップの光コネクタへの接触速度とクリップ把持部のクリップへの接触速度の少なくとも一方を遅くすることができる。
【００８８】
さらに、操作用シャフトの外周側から外側に突出した突起部と、操作用シャフトの周方向に傾斜するテーパ面を有して前記突起部の移動方向をガイドするガイド部とを有して移動方向変換部を形成した構成のものにあっては、非常に簡単な構成で、上記優れた効果を奏する移動方向変換部を形成することができる。
【００８９】
さらに、操作用シャフトの周方向に傾斜するテーパ面を有して操作用シャフトの外周側に設けられたガイド部と、前記操作用シャフトの側方周辺に設けられて前記ガイド部に接触する突起部とを有して移動方向変換部を形成した構成のものにあっては、同様に、非常に簡単な構成で、上記優れた効果を奏する移動方向変換部を形成することができる。
【００９０】
さらに、操作用シャフトの頭部側に操作ハンドルが設けられ、該操作ハンドルには前記操作用シャフトの周方向に傾斜するテーパ面を有するガイド部が設けられ、前記操作用シャフトの側方周辺にはサイドシャフトが設けられて該サイドシャフトと前記ガイド部とを有して移動方向変換部を形成した構成のものにあっては、同様に、非常に簡単な構成で、上記優れた効果を奏する移動方向変換部を形成することができる。
【００９１】
さらに、ガイド部は操作用シャフトの軸方向に設けられた軸方向溝と、該軸方向溝に連通して設けられてテーパ面を溝面とした斜め方向溝とを有するガイド溝としたものにあっては、突起部をガイド溝に接触させながら操作用シャフトを移動させることにより、クリップ把持部の光コネクタ側への進退移動およびその速度が調整しやすい構成とすることができる。
【００９２】
さらに、アーム部はそれぞれ基端部を中心として傾動自在に設けられており、該アーム部を傾動させてアーム部の先端間隔を開くことによってクリップを光コネクタから離脱させるアーム部開作動部が設けられている構成のものにあっては、アーム部開作動部によって、非常に容易にアーム部先端間隔を開いてクリップを光コネクタから離脱することができる。
【００９３】
さらに、アーム部はそれぞれ基端部を中心として傾動自在に設けられており、該アーム部を傾動させてアーム部の先端間隔を閉じることによってクリップを光コネクタに装着させるアーム部閉作動部が設けられている構成のものにあっては、アーム部閉作動部によって、非常に容易にアーム部先端間隔を閉じてクリップを光コネクタに装着することができる。
【００９４】
さらに、アーム部開作動部は操作用シャフトの軸方向を中心に回転するカム部を有し、該カム部はアーム部に両側から挟まれる態様で設けられて該カム部の外周面が前記アーム部に接触しており、前記カム部は該カム部の回転中心軸を中心とした径が徐々に大きくなる方向に変化する楕円弧状部位を有している構成のものにあっては、簡単な構成のカム部を設けて、クリップ離脱時にクリップ把持部を光コネクタに装着されているクリップに接触させた以降に操作用シャフトを回転させて、アーム部先端側間隔を開き、非常に容易にクリップ離脱を行なうことができる。
【００９５】
さらに、アーム部閉作動部は操作用シャフトの軸方向を中心に回転するカム部を有し、該カム部はアーム部に両側から挟まれる態様で設けられて該カム部の外周面が前記アーム部に接触しており、前記カム部は該カム部の回転中心軸を中心とした径が徐々に小さくなる方向に変化する楕円弧状部位を有している構成のものにあっては、簡単な構成のカム部を設けて、クリップ装着時にクリップ把持部を光コネクタに装着されているクリップに接触させた以降に操作用シャフトを回転させて、アーム部先端側間隔を閉じ、非常に容易にクリップ装着を行なうことができる。
【００９６】
さらに、モータの回転駆動力を操作用シャフトの軸方向の進退移動に変換するモータ駆動力伝達部を設けてクリップ把持部移動機構を構成し、モータ回転速度を可変するモータ回転速度可変機構が設けられ、該モータ回転速度可変機構がクリップ把持部移動速度遅延機構と成しているものにあっては、光コネクタへのクリップの装着や光コネクタからのクリップの離脱を自動的に行なうことができる。
【００９７】
さらに、本発明の光コネクタ接続切替え装置によれば、上記優れた効果を奏するクリップ着脱器を有することから、非常に容易に、かつ、クリップ着脱時に光コネクタに与える衝撃を小さくすることができるために、光コネクタ同士の接続切替えを光信号に損失を与えることなく非常にスムーズにできる優れた装置とすることができる。
【図面の簡単な説明】
【図１】本発明に係るクリップ着脱器の一実施形態例の構成をその動作図により示す要部説明図である。
【図２】本発明に係るクリップ着脱器の一実施形態例の構成を図１に続いて動作図により示す要部説明図である。
【図３】上記実施形態例に設けられている操作用シャフト周辺構造を示す斜視図である。
【図４】上記実施形態例に設けられているカム溝とカム部の構成を示す説明図である。
【図５】上記実施形態例のクリップ着脱器の光コネクタ接続切替え装置への取り付け構造を示す説明図である。
【図６】上記実施形態例においてクリップ把持部を取り付ける把持部取り付け部へのベアリング１５の取り付け構造を、断面図（ａ）と斜視図（ａ）により示す説明図である。
【図７】本発明に係るクリップ着脱器の他の実施形態例における操作用シャフト周辺構造を示す説明図である。
【図８】本発明に係るクリップ着脱器の他の実施形態例におけるクリップ把持部移動機構を示す説明図である。
【図９】従来のクリップ着脱器の構成をその動作図により示す説明図である。
【図１０】ＭＴコネクタの斜視図（ａ）と、接続した光コネクタにクリップを装着した状態を示す平面図（ｂ）である。
【符号の説明】
１  操作ハンドル
２  操作用シャフト
３  スプリング
４  カム溝付きブロック
５  カム溝
５ａ，５ｅ  軸方向溝
５ｂ，５ｄ  斜め方向溝
５ｃ  水平溝
６ａ  ベアリング
７  台座
８ａ，８ｂ  ガイドシャフト
９  把持部取り付け部
１０  クリップ把持部
１０ａ，１０ｂ  アーム部
１０ｃ，１０ｄ  把持部先端部
１２  カム部
１３  カムシャフト
１５  ベアリング部
１６  光コネクタ
１７  クリップ
２５  テーパ面
３０  楕円弧状部位
３５  ガイド面
３６  ガイド面付きブロック
４２  ギア
４３  平面ギア
４４  モータ回転速度可変機構
１００  フェルール
【図１】
0003725394.tif 000002
【図２】
0003725394.tif 000003
【図３】
0003725394.tif 000004
【図４】
0003725394.tif 000005
【図５】
0003725394.tif 000006
【図６】
0003725394.tif 000007
【図７】
0003725394.tif 000008
【図８】
0003725394.tif 000009
【図９】
0003725394.tif 000010
【図１０】
0003725394.tif 000011